(57)【要約】【課題】二つの腕部のそれぞれに接触部を有している端子で、インピーダンス特性の低下を防止しつつ、相手接続体に異物が付着していても、接触部が相手接続体との間で良好な接続状態を確保できる電気コネクタを提供することを課題とする。【解決手段】電気コネクタの端子２０は、金属板製で、端子配列方向で対面する板面をもって互いに分離して相手接続体との接続方向に延びる二つの腕部２５（２５Ａ，２５Ｂ）を有し、二つの腕部は、それらの基部２４Ａ，２４Ｂで互いに連結されていて、独立して弾性変位して相手接続体と接触可能であり、相手接続体の対応接触部と接触する二つの腕部の接触部２１（２１Ａ，２１Ｂ）が接続方向で基部とは反対側となる先端側にそれぞれ形成されており、二つの腕部の接触部は、接続方向で互いに異なる位置にあるとともに、相手接続体との接続状態で、端子配列方向で重複する位置にある。【選択図】図３
2018010801.tif 000002
【特許請求の範囲】
【請求項１】
相手接続体との接続方向に対して直角な方向を端子配列方向としてハウジングにより配列保持されている複数の端子を有する電気コネクタにおいて、
上記端子は、金属板製で、上記端子配列方向で対面する板面をもって互いに分離して上記接続方向に延びる少なくとも二つの腕部を有し、
上記二つの腕部は、それらの基部で互いに連結されていて、独立して弾性変位して相手接続体と接触可能であり、上記相手接続体に設けられた対応接触部と接触するための上記二つの腕部の接触部が上記接続方向で上記基部とは反対側となる先端側にそれぞれ形成されており、
二つの腕部の接触部は、接続方向で互いに異なる位置にあるとともに、相手接続体との接続状態で、上記端子配列方向で重複する位置にあることを特徴とする電気コネクタ。
【請求項２】
二つの腕部の接触部のうち少なくとも一方が腕体の基部側部分に対して端子配列方向に偏倚した屈曲形状をなしていることとする請求項１に記載の電気コネクタ。
【発明の詳細な説明】
【技術分野】
【０００１】
本発明は、一つの端子に複数の接触部が設けられた電気コネクタに関する。
【背景技術】
【０００２】
電気コネクタに設けられる端子は、相手コネクタに設けられた相手端子との接触の信頼性を向上させるために、一つの端子が複数の接触部をもつように形成されることがある。このような複数の接触部をもつ端子が設けられた電気コネクタは、例えば、特許文献１に開示されている。この特許文献１では、それぞれの多接点コンタクト（端子）は、相手コネクタに設けられたピンコンタクト（相手端子）に、後述する四つの接点部（接触部）でそれぞれ接圧をもって接触するようになっている。上記多接点コンタクトは、金属板部材を折り曲げて作られており、コネクタ同士の接続方向から見た形状が略Ｕ字形状をなし互いに対向する二つの脚部と該脚部同士を連結する連結部とを備えていて、ハウジングに保持される保持部と、該保持部の対向する二つの脚部から上記接続方向に延びる第一ないし第三ばね片を有し、第一と第二ばね部の先端に相手端子を挟圧する第一と第二接点部が設けられ、第一ばね片と第二ばね片の間に位置する第三ばね片の先端が上記第一と第二接点部よりも先方に設けられて上記相手端子を挟圧する第三と第四接点部とを有している。かくして多接点コンタクトは全体として上記略Ｕ字形状をなしている。
【０００３】
しかしながら、特許文献１のコネクタの多接点コンタクトは、第一および第二接点部同士間そして第三接点部及び第四接点部同士間のそれぞれに、上記ピンコンタクトの進入が可能な程度の間隔を形成する必要がある。このように、第一および第二接点部同士間そして第三接点部及び第四接点部同士間が離間していると、信号は互いに離間した二つの経路で伝送されることとなる。この結果、例えば、コネクタを高速伝送信号用として使用すると、上記多接点コンタクトでのインピーダンス特性が低下する。また、接点部同士間が離間している分だけ、すなわちばね片同士間が離間している分だけ各多接点コンタクトの端子配列方向での寸法が大きくなるので、該多接点コンタクトを多数配列したとき、端子配列方向で電気コネクタが大型化する。
【０００４】
そこで、特許文献２では、端子が金属板部材を折り曲げて一部材として作られていて、端子配列方向で対面する板面をもって並行し互いに分離して相手接続体へ向けた接続方向に延びる二つの腕部を有し、該二つの腕部の基部が上述した折り曲げにより互いにその板厚方向で近接した状態で連結されて、上記二つの腕部が、上記板面を含む面内で独立して弾性変位可能として、上記相手接続体に設けられた対応接触部と接触するための接触部が上記接続方向での先端側にそれぞれ形成されている電気コネクタを提案している。この二つの腕部の接触部は、それぞれ該接触部の板厚面で、一つの上記対応接触部の板面に接圧をもって接触して近接配置されている。
【先行技術文献】
【特許文献】
【０００５】
【特許文献１】実公平０５−００９８２２
【特許文献２】特開２０１４−１２７４２２
【発明の概要】
【発明が解決しようとする課題】
【０００６】
かかる特許文献２における端子は金属板部材を折り曲げて、二つの腕部を形成している結果、両腕部の接触部同士は、互いに近接することとなるので、特許文献１がかかえていたインピーダンス特性の低下という問題は解決される。しかしながら、二つの接触部同士は近接しているとはいうものの、端子配列方向では異なる位置にある。したがって、相手接続体に異物が付着している場合には、上記二つの接触部が該相手接続体に対して摺動しながら接続状態に入るときに、異物が上記二つの接触部の両方で相手接続体と間に噛み込まれてしまうことがある。その結果、二つの接触部の両方で接触不良を生ずるということになる。
【０００７】
本発明は、かかる事情に鑑み、二つの腕部のそれぞれに接触部を有している端子で、インピーダンス特性の低下を防止しつつ、相手接続体に異物が付着していても、接触部が相手接続体との間で良好な接続状態を確保できる電気コネクタを提供することを課題とする。
【課題を解決するための手段】
【０００８】
本発明に係る電気コネクタは、相手接続体との接続方向に対して直角な方向を端子配列方向としてハウジングにより配列保持されている複数の端子を有している。
【０００９】
かかる電気コネクタにおいて、本発明では、上記端子は、金属板製で、上記端子配列方向で対面する板面をもって互いに分離して上記接続方向に延びる少なくとも二つの腕部を有し、上記二つの腕部は、それらの基部で互いに連結されていて、独立して弾性変位して相手接続体と接触可能であり、上記相手接続体に設けられた対応接触部と接触するための上記二つの腕部の接触部が上記接続方向で上記基部とは反対側となる先端側にそれぞれ形成されており、二つの腕部の接触部は、接続方向で互いに異なる位置にあるとともに、相手接続体との接続状態で、上記端子配列方向で重複する位置にあることを特徴としている。
【００１０】
このように本発明では、一つの端子をなす二つの腕部のそれぞれに設けられた接触部が、相手接続体との接続方向で延びる一つの直線上で前後して位置している。したがって、相手接続体の接続部位に異物が付着していた場合、二つの接触部のうち先頭の接触部が異物を掻き取るので、後続の接触部には上記異物が及ぶことがなくなり、後続の接触部が確実な良好接触となる。
【００１１】
本発明において二つの腕部の接触部のうち少なくとも一方が腕体の基部側部分に対して端子配列方向に偏倚した屈曲形状をなしているようにすることで、二つの接触部を一つの線上で前後して位置させることできる。
【発明の効果】
【００１２】
本発明は、以上のように、一つの端子に設けられた二つの腕部の接触部が、接続方向で互いに異なる位置にあるとともに、相手接続体との接続状態で、端子配列方向で同位置にて接続方向に延びる一つの直線上に位置しているようにしたので、上記二つの腕部の接触部が上記接続方向の一つの直線上で前後して位置し、その結果、相手接続体の接触部位に異物が付着していても、先頭の接触部が異物を掻き取るので、後続の接触部には上記異物が及ぶことがなくなり、少なくとも後続の接触部が確実に良好に相手接続体と接触する。
【図面の簡単な説明】
【００１３】
【図１】本発明の一実施形態としてのレセプタクルコネクタとその相手方となるプラグコネクタの外観を、コネクタ嵌合接続前の状態で示す斜視図である。
【図２】図１のレセプタクルコネクタとプラグコネクタとをコネクタ嵌合接続前の状態で示す、端子位置での縦断面図である。
【図３】図１のレセプタクルコネクタとプラグコネクタから端子を一つずつ抜き出して示し斜視図であり、（Ａ）はコネクタ嵌合接続前、（Ｂ）はコネクタ嵌合接続後の状態を示す。
【図４】図３のレセプタクルコネクタの端子を示し、（Ａ）は正面図、（Ｂ）は側面図、（Ｃ）は背面図である。
【図５】図３のレセプタクルコネクタの端子の変形例で、端子の主要部のみを示し、（Ａ）は第一の変形例、（Ｂ）は第二の変形例、（Ｃ）は第三の変形例についての斜視図である。
【発明を実施するための形態】
【００１４】
以下、添付図面にもとづき、本発明の一実施形態を説明する。
【００１５】
図１は、本実施形態のレセプタクルコネクタ１と、これに嵌合接続される相手方としてのプラグコネクタ２とを、嵌合前の状態での外観を示す斜視図である。
【００１６】
レセプタクルコネクタ１は、電気絶縁材製のレセプタクルハウジング１０と、該レセプタクルハウジング１０に配列保持される金属板製の複数の端子２０とを有している。レセプタクルハウジング１０は、端子２０の配列方向をなすコネクタ幅方向の寸法がこれに対して直角なコネクタ厚み方向の寸法よりも大きく、かつプラグコネクタ２との嵌合方向となる接続方向をなす上下方向に高く延びた略直方体外形をなしている。該レセプタクルハウジング１０は、相手方たるプラグコネクタ２の後述する嵌合凹部内に設けられた嵌合凸部を受け入れるための受入凹部１１が上方に向け開口して形成され、上半部１０Ａの外周面が上記プラグコネクタ２の嵌合凹部に嵌入する嵌合外面１２となっている。上記レセプタクルハウジング１０は、外周面に嵌合外面１２が形成された上半部１０Ａに対しそれよりも下方の下半部１０Ｂが、該嵌合外面１２に対し段状をなして端子配列をなすコネクタ幅方向そして厚み方向に突出しており、特に、コネクタ幅方向両端部分では他部分よりも大きく突出して位置決め部１３を形成している。該位置決め部１３の上面をなすプラグコネクタに対する対向面１３Ａは相手方たるプラグコネクタ２の対応下端面をなす対向面と当接することでプラグコネクタ２の嵌合深さ位置を決め、また該位置決め部１３の底面１３Ｂは該レセプタクルコネクタ１の回路基板（図示せず）上での位置を決める。さらに、上記位置決め部１３の端子配列方向の端面には金具保持突部１４が突出して設けられていて、その上面そして側面にわたり門型状の溝部１４Ａが形成されていて、該溝部１４Ａに門型の固定金具３０が圧入取付けされている。該固定金具３０は下端にコネクタ厚み方向での横方向に延出する固定部３１を有し、該固定部３１にて回路基板の対応部へ半田固定される。
【００１７】
かかるレセプタクルコネクタ１の端子２０は、上記レセプタクルハウジング１０の受入凹部１１の内面に位置する接触部２１とレセプタクルハウジング１０の底面から延出する接続部２２とを有している。上記接触部２１はプラグコネクタ２の端子と接触し、接続部２２は回路基板の対応回路部に半田接続される。この端子２０についての詳細は、図２以降を参照してレセプタクルハウジング１０との関連で再度後述する。
【００１８】
上記レセプタクルコネクタ１の相手方となるプラグコネクタ２は、図１に見られるように、レセプタクルコネクタ１の上半部１０Ａに形成された嵌合外面１２に嵌合する嵌合凹部（図１には表われず）が電気絶縁材製のプラグハウジング５０の周壁５１の内部に形成され、また該レセプタクルコネクタ１の端子２０に対し相手接続体となる端子６０をプラグハウジング５０により保持している。該プラグハウジング５０はコネクタ幅方向の両端部にレセプタクルコネクタ１のレセプタクルハウジング１０に設けられた金具保持突部１４と同様な金具保持突部５２が設けられ、ここにレセプタクルコネクタ１の固定金具３０と同様な固定金具７０が取り付けられている。該固定金具７０は、レセプタクルコネクタ１の固定金具３０と同様に、門型をなし、コネクタ厚み方向に突出する固定部７１を有し、該固定部３１で回路基板への半田固定される。上記位置決め部５２は、図１で上方に向く底面５２Ａが回路基板上での位置を決める。
【００１９】
プラグコネクタ２の端子６０は、レセプタクルコネクタ１の端子２０の接触部２１と接触する接触部（図１には表われず）と、回路基板の対応回路部に半田接続される接続部６１とを有している。この端子６０については、これと保持するプラグハウジング５０との関連で、図２以降を参照して上記レセプタクルコネクタ１の端子２０と併せて後述する。
【００２０】
次に、レセプタクルコネクタ１の端子２０とプラグコネクタ２の端子６０について、それぞれを保持するレセプタクルハウジング１０とプラグハウジング５０との関連で説明する。
【００２１】
レセプタクルコネクタ１の端子２０は、図１に見られるように、コネクタ厚み方向で対向して一対をなし、コネクタ幅方向を配列方向として複数対配列されている。図２にはコネクタ厚み方向（図２にて左右方向）で対向している一対の端子２０が図示されている。一対の端子２０の両方は同一形状をなしていて、図２にて互いに左右対称をなすようにして対向配置されているので、ここではその一方について説明するに留める。
【００２２】
上記レセプタクルコネクタ１の端子２０は、金属板製で、図３（Ａ）のごとく、帯状片を屈曲した形状を有している。端子２０は、折曲部２３で重なるように折曲され、該折曲部２３で連結された二つの基部２４Ａ，２４Ｂからそれぞれ上方に延びる腕部２５Ａ，２５Ｂと、一方の腕部２５Ａの基部２４Ａから下方に延びる延長部２６Ａの下端からＬ字状に屈曲されて横方向に延びる接続部２２とを有している。
【００２３】
端子２０は、図３（Ａ）そして図４（Ａ）〜（Ｃ）にも見られるように、一方の腕部２５Ａがその上方先端縁を除き基部２４Ａそして延長部２６Ａと平坦な同一の板面をもつ帯状に形成されている。上記腕部２５Ａは、該腕部２５Ａの板厚方向（上記板面に対して直角方向）に見たときに、基部２４Ａから上方先端に向け幅を狭めていて上方先端部に、三角形状をなし幅方向の一方に突出する接触突部２８Ａが形成されている。該接触突部２８Ａは上方先端縁がプレス加工により板厚方向にクランク状に屈曲されて板厚の半分位、他方の腕部２５Ｂの方に寄った接触部２１Ａを形成し、該接触部２１Ａが上記幅方向に突状をなす三角形の頂部で相手接続体としてのプラグコネクタ２の端子６０と接触するようになる。上記接触部２１Ａは基部２４Ａに対し、板厚方向で上記板厚の半分位偏倚している。
【００２４】
上記一方の腕部２５Ａはその基部２４Ａで他方の腕部２５Ｂの基部２４Ｂと点状の溶着あるいはカシメ２４Ｃにより結合されていて補強が図られている。上記一方の腕部２５Ａの基部２４Ａから下方に延びる延長部２６Ａの両側縁のそれぞれには、上下して二箇所ずつ、突出した被固定突起２９−１，２９−２；２９−３，２９−４が設けられている。該被固定突起２９−１，２９−２；２９−３，２９−４は上記延長部２６Ａをレセプタクルハウジング１０に後述の対応の端子保持孔へ圧入したときに、該端子保持孔に喰い込んで位置が固定されるとともに抜け防止を図る機能を有する。
【００２５】
上記延長部２６Ａの下端で該延長部２６Ａの面に対して直角な面をもつように屈曲されてから略Ｌ字状に屈曲されて横方向に延びる接続部２２は、該接続部２２の幅方向での位置を上記延長部２６Ａの方向に戻すように曲げられてから中間にて板厚方向でクランク状に屈曲されていて、その先端側が回路基板との半田接続に供する。
【００２６】
上記折曲部２３で上記一方の腕部２５Ａの基部２４Ａと連結された基部２４Ｂから上方に延びる他方の腕部２５Ｂは、該腕部２５Ｂの板厚方向に見たときに、図４（Ａ），（Ｃ）にも示されるように、その形状そして幅寸法が上記一方の腕部２５Ａとほぼ同じとなっているが上方先端部の接触突部２８Ｂが一方の腕部２５Ａの接触突部２８Ａよりも若干下方に位置している。すなわち、他方の腕部２５Ｂの基部２４Ｂから接触突部２８Ｂまでの距離の方が一方の腕部２５Ａの基部２４Ａから接触突部２８Ａまでの距離よりも若干短い。この他方の腕部２５Ｂの接触突部２８Ｂは、板面に対し直角方向から見たときには、一方の腕部２５Ａの接触突部２８Ａとほぼ同一の三角形状をなし該接触突部２８Ａよりも若干下方に位置していて、その頂部も上記接触突部２８Ａと同じ高さをなしているが、接触突部２８Ｂの先端縁が接触部２１Ａのようには屈曲されておらず、該接触突部２８Ｂの頂部が該接触突部２８Ｂの板厚方向で腕部２５Ａの方へ向け偏倚するよう小さくクランク状に屈曲されていて、その頂部が接触部２１Ｂをなして相手接続体としてのプラグコネクタ２の端子６０と接触するようになる。
【００２７】
かくして、一方の腕部２５Ａの接触部２１Ａと他方の接触部２１Ｂは、図２に見られるように、両コネクタの接続方向(図２にて上下方向）で高さ位置が若干ずれているが、コネクタ厚み方向（図２にて左右方向）で同一位置にあり、また、端子配列方向（図２にて紙面に直角方向）となるコネクタ幅方向でも同一位置にある。したがって両接触部２１Ａ，２１Ｂは上記接続方向の一つの直線上にあり、該接続方向で前後（図では上下）にずれて位置していることになる。
【００２８】
上述のごとく、接続方向で一つの直線上に前後して位置する接触部２１Ａ，２１Ｂをそれぞれ有する腕部２５Ａ，２５Ｂは、それらの基部２４Ａ，２４Ｂで折曲部２３により連結されているので、互いに板面同士が至近しつつも僅かながら隙間を形成していて、互いに独立してコネクタ厚み方向（図２にて左右方向）となる端子幅方向で基部２４Ａ，２４Ｂを基点として弾性撓み変位が可能である。
【００２９】
かかるレセプタクルコネクタ１の端子２０は、図１そして図２に見られるように、左右で対向して対をなすとともに、この対が複数配列されて、レセプタクルハウジング１０により保持されている。該レセプタクルハウジング１０は、その外形が図１にもとづき既述した形態をなしているが、その内部は上部に受入凹部１１が形成され、該受入凹部１１の内面から下方へ向けて延びレセプタクルハウジング１０の下面に開口するように貫通する端子溝１５が端子２０の配列位置に形成されている。上記端子溝１５は、レセプタクルハウジング１０の比較的厚い底壁１６では、スリット孔になっていて端子保持孔１５Ａを形成している。上記端子２０は、この端子保持孔１５Ａへ下方から上方へ向け圧入されて、端子２０の延長部２６Ａの両側縁に設けられた被固定突起２９−１，２９−２；２９−３，２９−４が上記端子保持孔１５Ａの内面に喰い込み、端子２０の位置を定めるとともに抜けを防止する。端子２０の二つの腕部２５Ａ，２５Ｂは、上記レセプタクルハウジング１０の受入凹部１１の内面に形成された端子溝１５内に収まり、接触部２１Ａ，２１Ｂのみが該端子溝１５から突出している。端子２０の接続部２７はレセプタクルハウジング１０の底面側で該レセプタクルハウジング１０外にあって、レセプタクルコネクタ１が回路基板上に配置されたとき、該回路基板の対応回路部に接面する位置にある。
【００３０】
このようなレセプタクルコネクタ１に対し嵌合接続されるプラグコネクタ２は、図２に見られるように、レセプタクルコネクタ１のレセプタクルハウジング１０の上半部１０Ａが嵌合外面１２Ａで嵌合する嵌合凹部５３が形成されたプラグハウジング５０が端子６０を保持している。上記嵌合凹部５３はその内面が上記レセプタクルコネクタ１０の上半部１０Ａの嵌合外面１２が嵌入するに好適な寸法に作られており、該嵌合凹部５３の中央部には、上記レセプタクルコネクタ１の受入凹部１１へ進入する嵌合凸部５４が形成されている。
【００３１】
上記嵌合凸部５４の両面には、図２において、端子６０の接触部６２が左右で対向して位置し、紙面に直角方向に配列されている。該端子６０は、紙面に直角方向すなわち端子配列方向に幅をもつ帯状金属片をその板厚方向に屈曲して、全体として略逆Ｌ字状の形状を有している。該端子６０は、図２に見られる状態で、プラグハウジング５０の底面（図２では上面）からプラグハウジング５０外へ突出するとともに逆Ｌ字状に屈曲されて横方向に延びていて、この横方向部分の先端側（自由端側）がクランク状に段部をなし、その先端部が接続部６１を形成している。該接続部６１は、回路基板（図示せず）の対応回路部との半田接続に供する。
【００３２】
かくして、プラグコネクタ２の端子６０は、上記レセプタクルコネクタ１の端子２０と板面同士が直角をなす。したがって、レセプタクルコネクタ１の端子１０に形成された先端縁が屈曲されて狭い接触幅の接触部２１Ａそして板厚幅となる狭い接触幅の接触部２１Ｂに対し、プラグコネクタ２の端子６０の帯状をなす接触部６２はその幅方向に広がる板面で接触するので接触可能範囲が広くなり、確実にレセプタクルコネクタ１の端子１０の接触部２１Ａ，２１Ｂが上記接触部６２の範囲に収まる。
【００３３】
また、上記プラグコネクタ２の端子６０は、その接触部６２がプラグハウジング５０の嵌合凸部５４の壁面で接面保持されていて、対向する両接触部６２の表面同士間距離が一定しており、その距離は、図２に見られるように、レセプタクルコネクタ１の対向する端子２０の自由状態における接触部２１Ａ同士間そして接触部２１Ｂ同士間の距離よりも、僅かな量δだけ大きくなっており、コネクタ嵌合時に、上記接触部６２が接触部２１Ａ，２１Ｂを上記量δだけ弾性変位させるようになっている。
【００３４】
次に、上述のレセプタクルコネクタ１と相手方たるプラグコネクタ２との使用要領について図２そして図３をも参照しつつ説明する。
【００３５】
図２は、既述の説明にて参照されているが、レセプタクルコネクタ１とプラグコネクタ２とのコネクタ嵌合接続前における端子位置での縦断面図であり、図３は両コネクタ１，２から端子２０，６０を一つずつ抜き出して示しており、（Ａ）はコネクタ嵌合接続前、（Ｂ）はコネクタ接続後の状態である。
【００３６】
先ず、レセプタクルコネクタ１を対応の回路基板上に配し端子２０をその接続部２２で上記回路基板の対応回路部と半田接続するとともに固定金具３０の固定部３１を対応部へ半田固定する。一方、プラグコネクタ２を対応の他の回路基板上に配し端子６０を接続部６１で上記他の回路基板の対応回路部と半田接続するとともに固定金具７０の固定部７１を対応部へ半田固定する。
【００３７】
次に、上記回路基板そして他の回路基板の図示が省略されている図２そして図３（Ａ）に示されるように、レセプタクルコネクタ１の上方にプラグコネクタ２をもたらし、両コネクタ１，２を嵌合接続に備えた位置そして姿勢とする。この図２の状態では、レセプタクルコネクタ１が取り付けられた回路基板は該レセプタクルコネクタ１の下面に位置し、プラグコネクタ２が取り付けられた他の回路基板は該プラグコネクタ２の上面に位置し、上記回路基板と他の回路基板は平行な姿勢を保っている。
【００３８】
しかる後、他の回路基板に取り付けられている上記プラグコネクタ２を降下させると、該プラグコネクタ２の嵌合凹部５３へレセプタクルコネクタ１の上半部１０Ａが、そして該レセプタクルコネクタ１の受入凹部１１へプラグコネクタ２の嵌合凸部５４がそれぞれ嵌入を開始するようになる。
【００３９】
プラグコネクタ２の嵌合凸部５４のレセプタクルコネクタ１の受入凹部１１への嵌入開始直後、プラグコネクタ２の嵌合凸部５４の壁面上に位置する端子６０の接触部６２がレセプタクルコネクタ１の受入凹部１１内に位置する端子２０の接触部２１Ａ，２１Ｂのうち接触部２１Ａと先に接触し、次に接触部２１Ｂと接触する。その際、該接触部２１Ａ，２１Ｂは上記接触部６２により側方へ圧せられて、腕部２５Ａ，２５Ｂが側方へ弾性撓みを生じて、上記量δだけ弾性変位する。すなわち、接触部２１Ａ，２１Ｂは該弾性変位量δに相当する分の接圧をもって上記接触部６２と接触するようになる（図３（Ｂ）をも参照）。なお、本実施形態において、上記腕部２５Ａ，２５Ｂが弾性撓みする際に、併せて延長部２６Ａも弾性撓みしてもよく、そうすることで接触部２１Ａ，２１Ｂにおける上記量δを容易に確保できる。
【００４０】
既述したように、コネクタ接続方向（図２では上下方向）の一つの直線の上に、上記接触部２１Ａ，２１Ｂが前後して（図２では上下して）位置している。したがって、コネクタ嵌合前にプラグコネクタ２の端子６０の接触部６２に異物が付着していたり、あるいはコネクタ嵌合時にプラグコネクタ２の上記接触部６２とレセプタクルコネクタ１の上記接触部２１Ａとの間に異物が咬み込まれたとしても、プラグコネクタ２の接触部６２に対して先に接触するレセプタクルコネクタ１の接触部２１Ａと上記接触部６２の間の上記接圧により、異物は、側方に排除されるので、コネクタ接続方向での上記一つの直線上で上記接触部２１Ａの後方に位置していて次に接触部６２に対して接触する接触部２１Ｂには異物が至ることがない。したがって、レセプタクルコネクタ１の端子２０の二つの接触部２１Ａ，２１Ｂのうち、少なくとも後方の接触部２１Ｂでは、プラグコネクタ２の接触部６２との間で良好な接触が確保される。
【００４１】
本発明おけるレセプタクルコネクタ１の端子２０は、図１〜４に示された状態に限定されず、種々変形が可能である。図５（Ａ）〜（Ｃ）には、その可能な変形例をそれぞれ示している。なお、図５（Ａ）〜（Ｃ）では、端子２０はその基部から上方の腕部のみを示しており、延長部や接続部は図示が省略されている。
【００４２】
第一の変形例を図５（Ａ）に示す。既出の図１〜４の端子２０は、一方の腕部２５Ａに設けられた三角形状の接触突部２８Ａの先端縁がクランク状に板厚方向で屈曲されて接触部２１Ａを形成していたが、図５（Ａ）の変形例では、一方の腕部２５’Ａは何ら板厚方向に屈曲されておらず、平坦板そのままであり、したがって、接触部２１’Ａは三角形状の接触突部２８’Ａの頂部の板厚面で形成されている。これに対し、他方の腕部２５’Ｂにおける三角形状の接触突部２８’Ｂがその根元部で板厚方向にクランク状に屈曲されて板厚方向に偏倚することで、接触部２１’Ａを通るコネクタ接続方向の一つの直線上に接触部２１’Ｂが位置するようにしている。したがって、他方の腕部２５’Ｂの接触突部２８’Ｂにおける偏倚量は、既出の図１〜４の接触突部２８Ｂの場合よりも大きい。
【００４３】
次に、第二の変形例であるが、図１〜４では一方の腕部２５Ａの三角形状の接触突部２８Ａの先端縁がクランク状に板厚方向に屈曲されていたが、この第二の変形例では、図５（Ｂ）に見られるように、一方の腕部２５”Ａでは、接触突部２８”Ａの全域が板厚方向に偏倚するように該接触突部２８”Ａの根元部分でクランク状に板厚方向で屈曲されている。他方の腕部２５”Ｂでは接触突部２８”Ｂは何ら屈曲されておらず平坦である。
【００４４】
そして図５（Ｃ）に見られる第三の変形例では、図５（Ｂ）の一方の腕部２５”Ａと図５（Ａ）の他方の腕部２５’Ｂとの組み合わせのごとくの屈曲例である。第一の変形例では他方の腕部２５’Ｂのみがそして第二の変形例では一方の腕部２５’Ａのみが板厚方向に偏倚するようにしたので、それらの偏倚量はほぼ板厚あるいは板厚より若干大きくなっていることが必要であったが、第三の変形例では両方の腕部で互いに近づく方向に偏倚しているので、片方の腕部の偏倚量は第一そして第二変形例の場合にくらべ、略半分ですむようになるので加工が楽である。第三の変形例では、図５（Ｂ）の一方の腕部２５”Ａと図５（Ａ）の他方の腕部２５’Ｂとを組み合わせてあるが、他方の腕部２５’Ｂはその先端（上端）が一方の腕部２５”Ａの接触突部２８”Ａと干渉しないように切り落としてある。
【００４５】
かくして、第一ないし第三の変形例においても、接触部が腕部の他部に対して板厚方向で偏倚することで、二つの腕部の接触部はコネクタ接続方向で一つの直線上に前後して位置するようになる。
【００４６】
本発明は、実施形態としてレセプタクルコネクタの例で説明したが、レセプタクルコネクタでもプラグコネクタでもよい。また、相手接続体としてプラグコネクタの例を示したが、プラグコネクタでなくとも、回路基板であってもよい。また、二つの腕体の接触部同士は、端子配列方向で同一位置にあったが、同一でなくとも端子配列方向で重複して位置していればよい。
【００４７】
さらに、本発明のコネクタの端子は、二つの腕体を有する例で説明されたが、腕体は三つあるいはそれ以上有していてもよく、その場合でも、各腕体の接触部は、コネクタ接続方向で異なる位置にありながら、端子配列方向では、同一もしくは重複する位置にある。
【符号の説明】
【００４８】
１  （レセプタクル）コネクタ                  ２４Ａ，２４Ｂ  基部
１０  （レセプタクル）ハウジング              ２４’Ａ，２４’Ｂ  基部
２０  端子                                    ２４”Ａ，２４”Ｂ  基部
２１（２１Ａ，２１Ｂ）  接触部                ２５Ａ，２５Ｂ  腕部
２１’  （２１’Ａ，２１’Ｂ）  接触部        ２５’Ａ，２５’Ｂ  腕部
２１”  （２１”Ａ，２１”Ｂ）  接触部        ２５”Ａ，２５”Ｂ  腕部
【図１】
2018010801.tif 000003
【図２】
2018010801.tif 000004
【図３】
2018010801.tif 000005
【図４】
2018010801.tif 000006
【図５】
2018010801.tif 000007